(57)【要約】【課題】固定式ベッド装置から背上げ式ベッド装置に変更する際、固定式ベッド装置の部品を利用することができるベッド装置を提供することにある。【解決手段】ベースフレーム２５に設けられた上下駆動機構２７の第１、第２の上下用アーム３１，３２に一端部と他端部とが枢着される第１、第２の上下用側部材４１，４２と、第１、第２の上下用側部材の長手方向両端にそれぞれ一端部が連結固定された取付け具４４と、第１、第２の上下用側部材の両端にそれぞれ一端部が連結固定された一対の取付け具の他端に連結固定される第１、第２の側部材２と、第１、第２の側部材に幅方向の両端部を着脱可能に係合させて架設される床板体と、第１、第２の上下用側部材の長手方向一端の取付け具に取付けられるヘッドボード３及び他端の取付け具に取付けられるフットボード４と、一対の上下用側部材に着脱可能に保持されて床板体の一部を折り曲げて上昇させる背上げ駆動機構５１を具備する。【選択図】      図５
2008029422.tif 000002
【特許請求の範囲】
【請求項１】
ベースフレームと、
このベースフレームの長手方向の一端側に一端が枢着された一対の第１の上下用アーム、上記ベースフレームの他端側に一端が枢着された一対の第２の上下用アーム及びこれら第１、第２の上下用アームを回動駆動して各上下用アームの他端を上下方向に変位させる上下用駆動源を有する上下駆動機構と、
この上下駆動機構の一対の第１の上下用アームと第２の上下用アームの一方に一端部と他端部とが枢着される第１の上下用側部材及び他方に一端部と他端部とが枢着される第２の上下用側部材と、
上記第１の上下用側部材と第２の上下用側部材との長手方向両端にそれぞれ一端部が連結固定された取付け具と、
上記第１の上下用側部材の両端にそれぞれ一端部が連結固定された一対の上記取付け具の他端に連結固定される第１の側部材及び上記第２の上下用側部材の両端にそれぞれ一端部が連結固定された一対の上記取付け具の他端に連結固定される第２の側部材と、
上記第１の側部材と第２の側部材とに幅方向の両端部を着脱可能に係合させて架設される折り曲げ可能な床板体と、
上記第１、第２の上下用側部材の長手方向一端に設けられた一対の上記取付け具に取付けられるヘッドボード及び長手方向他端に設けられた一対の上記取付け具に取付けられるフットボードと、
上記一対の上下用側部材に着脱可能に保持され作動することで上記床板体の一部を折り曲げて上昇させる背上げ駆動機構を具備し、
上記一対の上下用側部材に上記背上げ駆動機構を保持したときに、上記第１、第２の側部材に保持される床板体は、上記背上げ駆動機構によって起伏駆動される構成であることを特徴とするベッド装置。
【請求項２】
上記第１、第２の側部材と、上記ヘッドボード及びフットボードは、上記上下駆動機構及び上記背上げ駆動機構をもたない他のベッド装置から転用可能であることを特徴とする請求項１記載のベッド装置。
【請求項３】
上記第１、第２の側部材の長手方向両端にはＬ字状の連結片が設けられ、上記第１、第２の上下用側部材の両端に一端部が連結固定される上記取付け具の他端部はＬ字状の折曲部に形成されていて、
上記折曲部を上記第１、第２の側部材の長手方向両端部の内面に連結固定するとともに、上記取付け具の他端部外面に上記連結片を重ね合わせ、この重合部分に上記ヘッドボード及びフットボードを連結固定することを特徴とする請求項１記載のベッド装置。
【発明の詳細な説明】
【技術分野】
【０００１】
この発明はヘッドボード、フットボード及び側部材を有するベッド装置に関する。
【背景技術】
【０００２】
ベッド装置には床板が固定的に設けられる通常のベッド装置（以下、固定床板式ベッド装置という）と、床板が起伏駆動可能に設けられる背上げ式ベッド装置があることが知られている。
【０００３】
背上げ式ベッド装置は高齢者や自力で上半身を起こすことが大きな負担となる患者や高齢者が利用することが多く、固定床板式ベッド装置は健康な利用者が通常の生活で就寝するために使用することが多い。
【０００４】
固定床板式ベッド装置は、背上げ式ベッド装置に比べて安価であるため、ほとんどの健康な利用者は固定床板式ベッド装置を使用する。一方、長期にわたって固定床板式ベッド装置を使用していた利用者が健康上の理由などによって、背上げ式ベッド装置を使用する必要性を感じた場合、固定式ベッド装置から背上げ式ベッド装置に買い換えるということが行なわれる。
【０００５】
固定式ベッド装置から背上げ式ベッド装置に買い換えた場合、固定式ベッド装置は廃棄することになる。そのため、固定式ベッド装置の部品のうち、ほとんど損耗することのない部品である、ベッドフレームを構成する一対の側部材及び側部材の一端に設けられるヘッドボード、他端に設けられるフットボードまでも廃棄することになるから、無駄が生じるということがあった。とくに最近では資源の有効利用が求められているため、固定式ベッド装置の部品のうち、損耗していない部品を再利用できるようにすることが求められている。特許文献１には背上げ式ベッド装置が示されている。
【特許文献１】特開２００３−２９０２９６号公報
【発明の開示】
【発明が解決しようとする課題】
【０００６】
しかしながら、特許文献１に示された背上げ式ベッド装置は、この背上げ式ベッド装置専用の部品が用いられており、固定式ベッド装置を廃棄する場合に、その固定式ベッド装置に用いられていた部品を再利用できる構成とはなっていない。
【０００７】
したがって、固定式ベッド装置から特許文献１に示された構成の背上げ式ベッド装置に買い換えた場合、固定式ベッド装置を廃棄することになり、部品の有効利用を図ることができないということがあった。
【０００８】
この発明は、固定式ベッド装置の部品の一部を利用することができるようにした背上げ式のベッド装置を提供することにある。
【課題を解決するための手段】
【０００９】
この発明は、ベースフレームと、
このベースフレームの長手方向の一端側に一端が枢着された一対の第１の上下用アーム、上記ベースフレームの他端側に一端が枢着された一対の第２の上下用アーム及びこれら第１、第２の上下用アームを回動駆動して各上下用アームの他端を上下方向に変位させる上下用駆動源を有する上下駆動機構と、
この上下駆動機構の一対の第１の上下用アームと第２の上下用アームの一方に一端部と他端部とが枢着される第１の上下用側部材及び他方に一端部と他端部とが枢着される第２の上下用側部材と、
上記第１の上下用側部材と第２の上下用側部材との長手方向両端にそれぞれ一端部が連結固定された取付け具と、
上記第１の上下用側部材の両端にそれぞれ一端部が連結固定された一対の上記取付け具の他端に連結固定される第１の側部材及び上記第２の上下用側部材の両端にそれぞれ一端部が連結固定された一対の上記取付け具の他端に連結固定される第２の側部材と、
上記第１の側部材と第２の側部材とに幅方向の両端部を着脱可能に係合させて架設される折り曲げ可能な床板体と、
上記第１、第２の上下用側部材の長手方向一端に設けられた一対の上記取付け具に取付けられるヘッドボード及び長手方向他端に設けられた一対の上記取付け具に取付けられるフットボードと、
上記一対の上下用側部材に着脱可能に保持され作動することで上記床板体の一部を折り曲げて上昇させる背上げ駆動機構を具備し、
上記一対の上下用側部材に上記背上げ駆動機構を保持したときに、上記第１、第２の側部材に保持される床板体は、上記背上げ駆動機構によって起伏駆動される構成であることを特徴とするベッド装置にある。
【００１０】
上記第１、第２の側部材と、上記ヘッドボード及びフットボードは、上記上下駆動機構及び上記背上げ駆動機構をもたない他のベッド装置から転用可能であることが好ましい。
【００１１】
上記第１、第２の側部材の長手方向両端にはＬ字状の連結片が設けられ、上記第１、第２の上下用側部材の両端に一端部が連結固定される上記取付け具の他端部はＬ字状の折曲部に形成されていて、
上記折曲部を上記第１、第２の側部材の長手方向両端部の内面に連結固定するとともに、上記取付け具の他端部外面に上記連結片を重ね合わせ、この重合部分に上記ヘッドボード及びフットボードを連結固定することが好ましい。
【発明の効果】
【００１２】
この発明によれば、上下駆動機構の一対の第１のアームと第２のアームの一方に第１の上下用側部材、他方に第２の上下用側部材を設け、第１の上下用側部材に第１の側部材、第２の上下用側部材に第２の側部材をそれぞれ取付け具によって連結し、これら側部材間に背上げ動作によって折り曲げ可能な床板体を架設するとともに、上記第１、第２の上下用側部材の長手方向一端に設けられた取付け具にヘッドボード、他端に設けられた取付け具にフットボードを連結する。
【００１３】
そのため、固定式ベッド装置の第１、第２の側部材、ヘッドボード及びフットボードを再利用することが可能となるから、コストの低減や資源の有効利用を図ることができる。
【発明を実施するための最良の形態】
【００１４】
以下、この発明の一実施の形態を図面を参照して説明する。  
図１は固定式ベッド装置Ｂ１の斜視図であって、図２は平面図、図３は正面図である。固定式ベッド装置Ｂ１はベッド本体１を備えている。このベッド本体１は図２に示すように所定間隔で平行に離間した一対の側部材２を有する。これら側部材２の長手方向一端にはヘッドボード３が連結固定され、他端にはフットボード４が連結固定されている。
【００１５】
上記一対の側部材２の長手方向の両端部にはそれぞれ脚体５の一端が枢着されている。ベッド本体１の幅方向において対応する各一対の脚体５の一端部と他端部は連結杆６ａ，６ｂによって連結されている。
【００１６】
上記ベッド本体１の幅方向一端側に位置する一方の脚体５には図３に示すように段階状の係合部７が長手方向に沿って形成されている。この係合部７には一端が上記側部材２に枢着された係止部材８の他端に設けられた図示しない係止体が着脱可能に係合する。それによって、上記脚体５は所定の傾斜角度で保持されるようになっている。つまり、脚体５の傾斜角度を変えることで、ベッド本体１の支持高さを調整できるようになっている。
【００１７】
上記側部材２は図４（ａ）〜（ｄ）に示すように金属製の角パイプからなる中間部材１１を有する。この中間部材１１の上面には木材や合成樹脂によって帯板状に形成された第１の部材１２が設けれ、下面には同じく帯板状の第２の部材１３が設けられる。中間部材１１は第１、第２の部材１２，１３よりもベッド本体１の幅方向に沿う厚さ寸法が大きく設定されている。
【００１８】
第１、第２の部材１２，１３は外面を中間部材１１の外面と面一にして配置されている。そして、第１、第２の部材１２，１３と中間部材１１の長手方向中途部は、一辺を第１、第２の部材１２，１３の内面に固定し、他辺を中間部材１１の上下面に固定した断面形状が断面Ｌ字状の上下一対の第１の連結部材１６によって一体的に連結されている。
【００１９】
上記第１、第２の部材１２，１３と中間部材１１の長手方向両端部は第２の連結部材１７によって連結されている。この第２の連結部材１７は、第１の連結部材１６と同様、断面がＬ字状となっていて、その一辺を第１、第２の部材１２，１３の内面に固定し、他辺を中間部材１１の上下面に固定して設けられている。
【００２０】
図４（ｄ）に示すように、上記中間部材１１の両端にはＬ字状の連結片１８が設けられている。この連結片１８は上記第２の連結部材１７の幅方向一端を覆っていて、上記中間部材１１の上面側と下面側に位置する部分にはそれぞれ通孔１９が形成されている。そして、上記ベッド本体１の一対の側部材２長手方向の一端と他端に設けられた各一対の連結片１８には、図１に示すように上記ヘッドボード３及びフットボード４が図示しない連結ボルトによってそれぞれ着脱可能に連結固定される。
【００２１】
一対の側部材２、及びこの側部材２の一端と他端とにそれぞれヘッドボード３及びフットボード４が連結されることで、平面形状が矩形枠状をなした上記ベッド本体１には、上記側部材２の内面側に突出した上記中間部材１１の一端部に、図示しない平板状の固定床板が幅方向の両端部を係合させて架設される。この床板体上にはマットレスＭが載置される。そして、利用者は上記マットレスＭ上に仰臥して就寝する。
【００２２】
なお、上述した固定式ベッド装置Ｂ１とは、床板が起伏駆動されることなく、ベッド本体１の固定的に架設された状態にあるものを総称している。
【００２３】
図５は背上げ式ベッド装置Ｂ２の平面図であって、この背上げ式ベッド装置Ｂ２は上記固定式ベッド装置Ｂ１の部品の一部である、上記側部材２、ヘッドボード３及びフットボード４を利用する構成となっている。
【００２４】
図８と図９は上記固定式ベッド装置Ｂ１を構成するベースフレーム２５を示している。このベースフレーム２５は杆材によって矩形枠状に形成されていて、その四隅部には脚部材２６が設けられている。
【００２５】
上記ベースフレーム２５には上下駆動機構２７が設けられている。この上下駆動機構２７は、上記ベースフレーム２５の長手方向の一端部と他端部にはそれぞれ一対の支柱２８が立設されている。ベースフレーム２５の長手方向一端に設けられた一対の支柱２８の上端には第１の上下用アーム３１の一端が枢着されている。長手方向他端に設けられた一対の支柱２８の上端には第２の上下用アーム３２の一端が枢着されている。
【００２６】
各一対のアーム３１，３２の他端部はそれぞれ第１、第２の連結杆３３，３４によって連結されている。第１の連結杆３３と第２の連結杆３４との中途部にはそれぞれブラケット３５の一端が固着されている。一対のブラケット３５の他端には連動杆３６の一端と他端が枢着されている。
【００２７】
上記連動杆３６の中途部の下面には上下用駆動源３７の進退駆動される駆動軸３８の先端が枢着されている。上記第２の連結杆３４の中途部にはブラケット３９の一端が固着され、このブラケット３９の他端には上記上下用駆動源３７が枢着されている。
【００２８】
それによって、上記上下用駆動源３７によって上記駆動軸３８が進退駆動されれば、その進退駆動に上記連動杆３６が連動するから、この連動杆３６の進退駆動によって上記第１、第２の上下用アーム３１，３２が支柱２８に枢着された一端を支点として他端が上下動する方向に回動駆動されるようになっている。
【００２９】
図５と図６に示すように、上記ベースフレーム２５の幅方向一端に位置する第１の上下用アーム３１と第２の上下用アーム３２の他端は、第１の上下用側部材４１の長手方向の一端部と他端部の内面から垂設された一対のブラケット４２ａに枢着されている。
【００３０】
上記ベースフレーム２５の幅方向他端に位置する第１の上下用アーム３１と第２の上下用アーム３２の他端は、第２の上下用側部材４２の長手方向の一端部と他端部の内面から垂設された一対のブラケット４２ａに枢着されている。
【００３１】
図１１（ａ），（ｂ）に示すように、第１、第２の上下用側部材４１，４２の長手方向の両端にはそれぞれ取付け具４４の基端が取付け固定されている。一対の取付け具４４の先端は各上下用側部材４１，４２の外面側に突出し、その先端はＬ字状の折曲部４３に形成されている。さらに、第１、第２の上下用側部材４１，４２の長手方向の中途部には先端を外面側に突出させた補強杆４５の一端が連結されている。
【００３２】
上記第１、第２の上下用側部材４１，４２の外面側には上記固定式ベッド装置Ｂ１に用いられた上記側部材２が連結される。すなわち、上記第１、第２の上下用側部材４１，４２の長手方向両端に設けられた取付け具４４の先端に形成された折曲部４３が上記側部材２の第１、第２の部材１２，１３の長手方向の一端部と他端部の内面に第２の連結部材１７の一辺を介して連結固定される。さらに、第１、第２の上下用側部材４１，４２の長手方向の中途部に設けられた補強杆４５の先端が上記側部材２の中間部材１１の上面に第１の連結部材１６の一辺を介して連結固定される。
【００３３】
それによって、上記取付け具４４の先端部の外面に、上記側部材２の両端に設けられた連結片１８が重合する。上記取付け具４４には、連結片１８との重合部分であって、連結片１８に形成された通孔１９に対応する位置に通孔４４ａ（図１１ｃに示す）が形成されている。さらに、取付け具４４には連結片１８ｂとの重合部分から外れた位置にも通孔４４ａが形成されている。つまり、取付け具４４には３つの通孔４４ａが形成されている。
【００３４】
図１２に示すように、第１の上下用側部材４１と第２の上下用側部材４２との長手方向両端にそれぞれ設けられた各一対の取付け具４４の一方の内面には通孔４４ａと対向する部位にナット４５が固着されている。
【００３５】
上記固定用ベッド装置Ｂ１で用いられたヘッドボード３とフットボード４のうち、ヘッドボード３の幅方向両端部の下部には左右それぞれ３つの通孔と対応する部位に図示しない取付け孔が穿設されている。そして、ヘッドボード３は上記取付け孔から図１２に鎖線で示す固定ボルト４６を通し、上記ナット４５に螺合することで、上記取付け具４４に取付け固定されている。
【００３６】
上記フットボード４の内面の幅方向両端部には図１２に鎖線で示す埋め込みナット４５ａが上記取付け孔と対応する位置に設けられている。そして、フットボード４は左右一対の取付け具４４に形成されたそれぞれ３つの通孔４４ａから上記埋め込みナットに固定ボルト４６ａをねじ込むことで連結固定されている。
【００３７】
第１、第２の上下用側部材４１，４２に取付け具４４によって連結された一対の側部材２には起伏用の床板体４７（図１０に示す）が幅方向の両端部を上記側部材２の内面側に突出した中間部材１１の幅方向一端部の上面に係合させて載置されている。この床板体４７の上面には図示しないマットレスが載置される。
【００３８】
上記床板体４７は、複数の床部、この実施の形態では第１乃至第６の６つの床部４７ａ〜４７ｆに分割されている。第１乃至第３の床部４７ａ〜４７ｃ及び第４乃至第６の床部４７ｄ〜４７ｆは互いに回動可能に連結されている。
【００３９】
長手方向中央に位置する第３、第４の床部４７ｃ，４７ｄは上記中間部材１１の上面にねじ止め固定される。それによって、第１、第２の床部４７ａ，４７ｂと第５、第６の床部４７ｅ，４７ｆは第３の床部４７ｃと第４の床部４７ｄを支点として上昇方向に起上可能となっている。
【００４０】
上記第１、第２の上下用側部材４１，４２には背上げ駆動機構５１が保持される。この背上げ駆動機構５１は図７に示すように箱型状の駆動部５２を有する。この駆動部５２には図示しない動力伝達機構が収容されていて、その一側面には駆動源５３が設けられている。
【００４１】
上記駆動部５２の一端部には第１の回転軸５４が設けられ、他端部には第２の回転軸５５が設けられている。第１、第２の回転軸５４，５５は上記駆動源５３が作動することで回転駆動されるようになっている。
【００４２】
上記第１の回転軸５４の両端部には一対の背上げアーム５６の一端が固着されている。背上げアーム５６の先端部の内面には一対の背上げローラ５７が回転可能に設けられている。一対の背上げアーム５６に設けられた背上げローラ５７は上記床板体４７の第１の床部４７ａの下面の幅方向両端部に幅方向と直交する方向に沿って設けられた図示しない断面コ字状のガイドレールに転動可能に係合している。それによって、上記第１の回転軸５４が起上方向に回転駆動されれば、第１の床部４７ａが起上方向に駆動され、その起上に第２の床部４７ｂが連動する。
【００４３】
上記第２の回転軸５５の両端部には一対の脚上げアーム６１の一端が固着されている脚上げアーム６１の他端には脚上げローラ６２が回転可能に設けられている。これらの脚上げローラ６２は第５の床部４７ｅの下面に設けられた図示しない帯板状のレールに当接している。したがって、脚上げローラ６２が上記駆動源５３によって起上方向に駆動されれば、第５の床部４７ｅが起上方向に駆動され、起上に第６の床部４７ｆが連動する。
【００４４】
図１１（ａ），（ｂ）に示すように上記第１、第２の上下用側部材４１，４２の内面の長手方向中央部には、それぞれ一対の軸受６４が所定の間隔、つまり背上げ駆動機構５１の駆動部５２に設けられた第１、第２の回転軸５４，５５と同じ間隔で設けられている。そして、上記背上げ駆動機構５１は第１、第２の回転軸５４，５５の両端部を上記軸受６４の回転可能に支持させて上記第１、第２の上下用側部材４１，４２に対して着脱可能に保持されている。
【００４５】
このような構成の背上げ式ベッド装置Ｂ２によれば、上下駆動機構２７によって上下駆動される第１、第２の上下用側部材４１，４２の外面側に、これら上下用側部材４１，４２の長手方向両端に設けられた取付け具４４を介して側部材２を着脱可能に連結するようにした。
【００４６】
また、上記第１、第２の上下用側部材４１，４２の長手方向一端の取付け具４４にヘッドボード３、他端にフットボード４をそれぞれ着脱可能に取付けるようにした。
【００４７】
そのため、利用者がベッド装置を固定式ベッド装置Ｂ１から背上げ式ベッド装置Ｂ２に交換する場合、固定式ベッド装置Ｂ１に用いられていた側部材２、ヘッドボード３及びフットボード４を再利用することができるから、その分、コストの低減を図ることができる。
【００４８】
上記第１、第２の上下用側部材４１，４２と一対の側部材２との連結は、これら上下用側部材４１，４２の両端に一端が連結された取付け具４４の他端外面に、側部材２の中間部材１１の両端に設けられた連結片１８を重合させ、この重合部分にヘッドボード３及びフットボード４を固定ボルト４６，４６ａで取付け固定することで、連結するようにした。
【００４９】
すなわち、側部材２は第１、第２の上下用側部材４１，４２に対して単に取付け具４４によって連結されるだけでなく、取付け具４４は折曲部４３が側部材２に連結され、さらに側部材２の端部に設けられた連結片１８を上記取付け具４４に重合させ、その重合部分をヘッドボード３及びフットボード４とともに固定ボルト４６，４６ａで連結するようにした。
【００５０】
そのため、側部材２は単に取付け具４４によって第１、第２の上下用側部材４１，４２に取付けられる場合に比べ、側部材２に設けられた連結片１８が介在するため、その分、第１、第２の上下用側部材４１，４２に対して側部材２を強固に取付け固定することができるから、一対の側部材２に支持される床板体４７の支持剛性を高めることができる。
【００５１】
また、従来は矩形枠状の上下用フレームを上下駆動機構２７によって上下駆動するようにしていたが、上下用フレームに代わり、第１、第２の上下用側部材４１，４２を上下駆動するようにした。
【００５２】
そのため、上下用フレームを第１、第２の上下用側部材４１，４２とすることで、従来の上下用フレームに比べて構成の簡略化や使用する材料を減少させることができるから、そのことによってもコストや全体の重量を低減することができる。
【図面の簡単な説明】
【００５３】
【図１】この発明の一実施の形態を示す固定式ベッド装置の斜視図。
【図２】同じく平面図。
【図３】同じく正面図。
【図４】（ａ）は側部材の平面図、（ｂ）は同じく内面を示す図、（ｃ）は同じく外面を示す図、（ｄ）は側部材の端部に設けられた連結片を示す上記側部材を断面下側面図。
【図５】背上げ式ベッド装置の床板を取り除いた平面図。
【図６】図５に示す背上げ式ベッド装置から背上げ駆動機構を取り除いた平面図。
【図７】背上げ駆動機構を示す平面図。
【図８】背上げ式ベッド装置のベースフレームの平面図。
【図９】図８に示すベースフレームの正面図。
【図１０】床板体の平面図。
【図１１】（ａ）は上下用側部材の平面図、（ｂ）は同じく内面を示す図。
【図１２】上下用側部材と側部材のヘッドボードが連結される長手方向一端の連結部分と、フットボードが連結される長手方向他端の連結部分の拡大図。
【符号の説明】
【００５４】
２…側部材、３…ヘッドボード、４…フットボード、１８ｂ…連結片、２５…ベースフレーム、２７…上下駆動機構、３１…第１の上下用アーム、３２…第２の上下用アーム、３７…上下用駆動源、４１…第１の上下用側部材、４２…第２の上下用側部材、４３…折曲部、４４…取付け具、４７…床板体、５１…背上げ駆動機構。
【図１】
2008029422.tif 000003
【図２】
2008029422.tif 000004
【図３】
2008029422.tif 000005
【図４】
2008029422.tif 000006
【図５】
2008029422.tif 000007
【図６】
2008029422.tif 000008
【図７】
2008029422.tif 000009
【図８】
2008029422.tif 000010
【図９】
2008029422.tif 000011
【図１０】
2008029422.tif 000012
【図１１】
2008029422.tif 000013
【図１２】
2008029422.tif 000014